(57)【特許請求の範囲】
【請求項１】
多結晶シリコン粒子を分級するための装置であって、
円筒状の分級空間を有する分級容器と、
前記分級容器内に分粒対象試料を供給する試料投入部と、
前記分級容器内に下方から上方に向かう旋回気流を形成する気流生成部と、
前記分級容器の下部側であって前記旋回気流の供給部よりも下方に設けられた粗粒選別部と、
前記分級容器の上部側分級空間を形成する側壁上にあって前記旋回気流の供給部よりも上方に設けられた微粒選別部と、を備え、
前記試料投入部の直上部と前記微粒選別部の直下部との高低差Ｈ1は、前記円筒状の分級空間の直径Ｄ1の３．５倍以上であり、
前記旋回気流の供給部からは、５ｍｍ以上で２０ｍｍ以下の所定の長径ｄを有する選別粒子に作用する浮力が該選別粒子に働く重力を超えない旋回気流が供給され、前記浮力の効果により篩を用いることなく多結晶シリコンの粗粒子と多結晶シリコンの微粒子を分級する、ことを特徴とする粒子分級装置。
【請求項２】
前記試料投入部は前記気流生成部を兼ね、
前記試料投入部からは前記分粒対象試料が気体を輸送媒体として供給され、該輸送媒体が前記旋回気流を形成する、請求項１に記載の粒子分級装置。
【請求項３】
前記微粒選別部は、前記分級容器の上部側壁に筒状に設けられており、該微粒選別部の突出方向は、前記分級容器の内壁に沿う前記旋回気流の向きと逆の方向である、請求項１または２に記載の粒子分級装置。
【請求項４】
請求項１乃至３の何れか１項に記載の粒子分級装置である第１の粒子分級装置の微粒選別部の下流に第２の粒子分級装置が設けられており、
前記第２の粒子分級装置は、
円筒状の第２の分級空間を有する第２の分級容器と、
前記第１の粒子分級装置の微粒選別部に分離された試料を前記第２の分級容器内に分粒対象試料として供給する第２の試料投入部と、
前記第２の分級容器内に下方から上方に向かう旋回気流を形成する第２の気流生成部と、
前記第２の分級容器の下部側であって前記第２の気流生成部で形成された旋回気流の供給部よりも下方に設けられた第２の粗粒選別部と、
前記第２の分級容器の上部側分級空間を形成する側壁上にあって前記第２の気流生成部で形成された旋回気流の供給部よりも上方に設けられた第２の微粒選別部と、を備え、
前記第２の気流生成部で形成された旋回気流の供給部からは、１ｍｍ以上で２０ｍｍ以下の所定の長径であって前記ｄよりも小さい長径ｄ´（＜ｄ）を有する選別粒子に作用する浮力が該選別粒子に働く重力を超えない旋回気流が供給される、ことを特徴とする粒子分級装置。
【請求項５】
前記第２の試料投入部の直上部と前記第２の微粒選別部の直下部との高低差Ｈ2は、前記円筒状の第２の分級空間の直径Ｄ2の３．５倍以上である、請求項４に記載の粒子分級装置。
【発明の詳細な説明】
【技術分野】
【０００１】
本発明は、多結晶シリコン等の分級技術に関し、より詳細には、１ｍｍ以上で２０ｍｍ以下の所定の長径を有する粒子を分級して回収する技術に関する。
【背景技術】
【０００２】
粉砕等によって得られた粒子を、その粒径の大小により分離する分級技術は、食品やコピー用トナーの製造現場で多用されている。
【０００３】
例えば、特許文献１（特開平７−６０１９４号公報）では、分級対象である粒子を噴出気流として分級部に投入し、分級用の２本の気流により、粒子のもつ慣性力とコアンダ効果による湾曲気流の遠心力によって粗粒子と微粒子に分級する方法が提案されている。
【０００４】
また、サイクロンを用いた方法として、例えば、特許文献２（特開２０１０−２７４２３４号公報）では、サイクロンにより、粗粒子を分級空間の外周側に集めると共に微粒子を分級空間の中心部に集め、外周側から下方に粗粒子を回収すると共に中心部より上方に微粒子を回収することで、微粒子を効率的に分級する方法が提案されている。
【０００５】
ところで、半導体製造用原料となる単結晶シリコンの製造に用いられる多結晶シリコンは、石英ルツボ内での溶融が容易となるように、多結晶シリコンロッドを破砕して得られる多結晶シリコン塊（ポリシリコンチャンク）として流通している。このようなポリシリコンチャンクは、サイズが小さすぎると単位質量あたりの表面積（比表面積）が大きくなって汚染確率が高くなってしまうため、概ね人の拳程度の大きさのものが好まれる。
【０００６】
ところが、多結晶シリコンロッドを破砕すると、拳大よりも遥かに小さな塊や粒子状のものが多量に発生してしまう。このような小さなサイズの多結晶シリコンは、比表面積が大きく半導体製造用の超高純度シリコン原料としては不向きであるが、他の用途としての利用価値は高い。例えば、長径が１ｍｍ以下の粒子が５質量％以下、特に１質量％以下のものは、太陽電池を製造するための単結晶シリコンや多結晶シリコンの原材料として用いることができる。また、長径が１ｍｍ以下の粒子が２０％以下、特に１５％以下のものは、一般金属や鉄の改質用として用いることができる。
【０００７】
サイクロンを用いた一般的な分級装置は、粒径が１ｍｍ未満の微粒子を分離するのに有効である半面、長軸が１ｍｍ以上の大きさ（例えば、長軸が５ｍｍを超える程度の大きさ）の粒子を選別しようとすると、その構造は複雑なものとなることに加え、分級中に粒子が装置内で架橋（ブリッジ）するような詰まり現象が起き易いという問題がある。
【０００８】
また、最も簡便な手法である篩を用いる分級は、粒径が２０ｍｍを超えるような比較的大きな粒子に対しては効率的であるが、長径が１ｍｍ〜２０ｍｍ程度の中程度の大きさの粒子を選別しようとすると、粒子が不定形であることも相まって、目詰まりを起こし易く、容易には篩過が起こらずに作業時間が長くなり、しかも分級の質も低下してしまうという問題がある。
【先行技術文献】
【特許文献】
【０００９】
【特許文献１】特開平７−６０１９４号公報
【特許文献２】特開２０１０−２７４２３４号公報
【発明の概要】
【発明が解決しようとする課題】
【００１０】
本発明は、このような問題に鑑みてなされたもので、その目的とするところは、長径が１ｍｍ〜２０ｍｍ程度の中程度の大きさの粒子の分級を効率的に行う技術を提供すること、特に、上記長径範囲の粒子をさらに、粗粒子と微粒子に効率的に分級する技術を提供することにある。
【課題を解決するための手段】
【００１１】
上記課題を解決するために、本発明に係る第１の態様の粒子分級装置は、多結晶シリコン粒子を分級するための装置であって、円筒状の分級空間を有する分級容器と、前記分級容器内に分粒対象試料を供給する試料投入部と、前記分級容器内に下方から上方に向かう旋回気流を形成する気流生成部と、前記分級容器の下部側であって前記旋回気流の供給部よりも下方に設けられた粗粒選別部と、前記分級容器の上部側分級空間を形成する側壁上にあって前記旋回気流の供給部よりも上方に設けられた微粒選別部と、を備え、前記試料投入部の直上部と前記微粒選別部の直下部との高低差Ｈ1は、前記円筒状の分級空間の直径Ｄ1の３．５倍以上であり、前記旋回気流の供給部からは、５ｍｍ以上で２０ｍｍ以下の所定の長径ｄを有する選別粒子に作用する浮力が該選別粒子に働く重力を超えない旋回気流が供給され、前記浮力の効果により篩を用いることなく多結晶シリコンの粗粒子と多結晶シリコンの微粒子を分級することを特徴とする。
【００１２】
本発明に係る粒子分級装置は、前記試料投入部は前記気流生成部を兼ね、前記試料投入部からは前記分粒対象試料が気体を輸送媒体として供給され、該輸送媒体が前記旋回気流を形成する態様とすることもできる。
【００１３】
また、本発明に係る粒子分級装置は、前記微粒選別部は、前記分級容器の上部側壁に筒状に設けられており、該微粒選別部の突出方向は、前記分級容器の内壁に沿う前記旋回気流の向きと逆の方向である態様とすることが好ましい。
【００１５】
本発明に係る第２の態様の粒子分級装置は、上述の第１の態様の粒子分級装置である第１の粒子分級装置の微粒選別部の下流に第２の粒子分級装置が設けられており、前記第２の粒子分級装置は、円筒状の第２の分級空間を有する第２の分級容器と、前記第１の粒子分級装置の微粒選別部に分離された試料を前記第２の分級容器内に分粒対象試料として供給する第２の試料投入部と、前記第２の分級容器内に下方から上方に向かう旋回気流を形成する第２の気流生成部と、前記第２の分級容器の下部側であって前記第２の気流生成部で形成された旋回気流の供給部よりも下方に設けられた第２の粗粒選別部と、前記第２の分級容器の上部側分級空間を形成する側壁上にあって前記第２の気流生成部で形成された旋回気流の供給部よりも上方に設けられた第２の微粒選別部とを備え、前記第２の気流生成部で形成された旋回気流の供給部からは、１ｍｍ以上で２０ｍｍ以下の所定の長径であって前記ｄよりも小さい長径ｄ´（＜ｄ）を有する選別粒子に作用する浮力が該選別粒子に働く重力を超えない旋回気流が供給されることを特徴とする。
【００１６】
好ましくは、前記第２の試料投入部の直上部と前記第２の微粒選別部の直下部との高低差Ｈ2は、前記円筒状の第２の分級空間の直径Ｄ2の３．５倍以上である。
【発明の効果】
【００１７】
本発明により、１ｍｍ以上で２０ｍｍ以下の所定の長径を有する中間粒径の粒子を効率的に分級することができる。本発明に係る粒子分級装置は、構造がシンプルであり、分級粒子が目詰まりを起こすなどのトラブルが生じ難いことに加え、金属汚染や異物の混入が生じ難く、例えば、半導体製造用原料である高純度の多結晶シリコンチャンクの分級処理に好適である。また、分級用の試料にプラスチック繊維等が混入していた場合には、本発明の分級を行うことで、極めて容易に除去することができる。
【図面の簡単な説明】
【００１８】
【図１】本発明の粒子分級装置の第１の構成例を説明するための概略図で、図１Ａは断面図、図１Ｂは上面図である。
【図２】本発明の粒子分級装置の第２の構成例を説明するための概略図である。
【図３】本発明の粒子分級装置の第３の構成例を説明するための概略図である。
【図４】実施例８における微粒選別部の突出方向を説明するための図である。
【発明を実施するための形態】
【００１９】
以下に、図面を参照して、本発明に係る粒子分級装置について説明する。
【００２０】
図１は、本発明の粒子分級装置の構成例を説明するための概略図で、図１Ａは断面図、図１Ｂは上面図である。
【００２１】
粒子分級装置１００は、円筒状の分級空間を有する分級容器１１と、この分級容器１１の内部（分級空間）に分粒対象試料を供給する試料投入部（試料投入ライン）１２と、分級容器１１の下部側に設けられた粗粒回収ライン１３および粗粒回収ボックス１４と、分級容器１１の上部側分級空間を形成する側壁上にあって後述する旋回気流の供給部よりも上方に設けられた微粒回収ライン１５を備えている。
【００２２】
試料投入部（試料投入ライン）１２からは、１ｍｍ以上で２０ｍｍ以下の所定の長径ｄを有する選別対象となる粒子を含む試料が投入される。
【００２３】
分級容器１１の内部（分級空間）には、下方から上方に向かう旋回気流が形成されており、分級空間に投入された分粒対象試料は、その粒径により、旋回気流により上方に運ばれるか、若しくは、重力により下方に運ばれるかして、粗粒回収ライン１３と粗粒回収ボックス１４で構成される粗粒選別部に回収されるか、若しくは、微粒選別部としての微粒回収ライン１５へと導かれて回収がなされる。
【００２４】
この図に示した例では、試料投入部１２が気流生成部を兼ねており、試料投入ライン１２の試料の供給部は、分級空間の内壁の周方向に旋回気流Ｃを生じるように設けられており、試料投入部１２からは分粒対象試料Ｉが気体を輸送媒体として供給され、この輸送媒体が分粒空間内での旋回気流を形成する。なお、気流生成部は、独立したものとして設ける態様（例えば、分級空間の下部にファンを設ける態様）としてもよいが、旋回気流を分粒空間に供給する部位（供給部）は、粗粒選別部よりも上方であって、且つ、微粒選別部よりも下方に配置される。
【００２５】
分級空間内に、垂直方向成分が下から上に正の速度をもつ旋回気流が作られることにより、比表面積の大きな粒子（微粒子）は旋回気流による浮力により分級空間内を旋回しながら上昇し、微粒回収ライン１５へと導かれて装置外に排出される。一方、比表面積の小さな粒子（粗粒子）は、作用する浮力が重力を下回ることから、粗粒回収ライン１３へと導かれることとなるというシンプルなメカニズムにより粒子の選別がなされる。更に、プラスチック繊維のように比重の異なる異物が混入していた場合にも、詰り等のトラブルを起こさず容易に除去される。
【００２６】
このような構成を有する本発明の粒子分級装置は、１ｍｍ以上で２０ｍｍ以下の所定の長径ｄを有する中間粒径の粒子を効率的に選別（分級）することができる。ここで、上記旋回気流の供給条件は、選別対象粒子の「所定の長径ｄ」に応じて決定される。
【００２７】
すなわち、長径ｄが５ｍｍ以上の粒子を粗粒として回収する場合には、粗粒として回収する粒子の長径ｄが７ｍｍ以上である場合よりも、旋回気流の速度の垂直方向成分がより小さくなるように設定される。逆に、長径ｄが１０ｍｍ以上の粒子を粗粒として回収する場合には、粗粒として回収する粒子の長径ｄが７ｍｍ以上である場合よりも、旋回気流の速度の垂直方向成分がより大きくなるように設定される。
【００２８】
なお、微粒選別部である微粒回収ライン１５は、分級容器１１の上部側壁に筒状に設けられており、この微粒回収ライン１５の突出方向を、分級容器１１の内壁に沿う旋回気流Ｃの向きと逆の方向とすると、粗粒と微粒の分級効率があがり、同条件で運転した場合の粗粒回収量を高めることができる。
【００２９】
本発明では、最も適する用途として、１ｍｍ以上で２０ｍｍ以下の所定の長径ｄを有する粒子を選別対象とするが、分級の精度は、円筒状の分級空間の高さが高いほど高くなる。分級される各粒子は旋回気流に乗って上昇するものと重力によって落下するものに分けられるが、粒子間の衝突等の影響があることから、一定以上の分離距離を設けることでより良好な分級が可能となる。本発明者らが行った検討によれば、試料投入部の直上部と微粒選別部の直下部との高低差Ｈを、円筒状の分級空間の直径Ｄの２．５倍以上とすることで、本来は粗粒選別部へと導かれるべき粗粒が、微粒選別部へと導かれる率をかなり下げることができる。また、この値（Ｈ／Ｄ）が３．５以上であれば、粗粒が微粒選別部へと導かれる率を略ゼロにすることができる。
【００３０】
なお、旋回気流を形成するための手段として市販の排風機を用いる場合には、例えば気体吸引量が３００〜８００Ｌ／分である場合、分級空間の直径を１０〜１５ｃｍとすると、分級に良好な旋回流を作ることができる。
【００３１】
粗粒選別部を構成する粗粒回収ライン１３は、分級空間から下方に落下する粗粒を回収するラインであり、その形状に特別な制限はないが、ロート状としておくことが好ましい。なお、粗粒回収ライン１３と粗粒回収ボックス１４の間の経路に開閉部を設けておくと、粗粒回収ボックス１４に一定量の粗粒が溜まった段階で別途用意した粗粒回収ボックスと交換でき、分級作業を連続して行うことができる。
【００３２】
本発明の粒子分級装置を２段構成とし、上述した構成の粒子分級装置（第１の粒子分級装置）の微粒選別部の下流に、第２の粒子分級装置を設ける構成としてもよい。
【００３３】
図２は、本発明の粒子分級装置の第２の構成例を説明するための概略図で、第１の粒子分級装置１００の微粒選別部の下流に、第２の粒子分級装置２００が設けられており、この第２の粒子分級装置２００は、第１の粒子分級装置１００と同様に、円筒状の分級空間を有する分級容器２１と、この分級容器２１の内部（分級空間）に分粒対象試料を供給する試料投入部（試料投入ライン）２２と、分級容器２１の下部側に設けられた粗粒回収ライン２３および粗粒回収ボックス２４と、分級容器２１の上部側分級空間を形成する側壁上にあって旋回気流の供給部よりも上方に設けられた微粒回収ライン２５を備えている。
【００３４】
試料投入部（試料投入ライン）２２は、第１の粒子分級装置１００の微粒選別部である微粒回収ライン１５と繋がっており、第１の粒子分級装置１００で微粒として選別された粒子群が、分級容器２１の内部（分級空間）に分粒対象試料として投入される。
【００３５】
分級容器２１の内部（分級空間）には、下方から上方に向かう旋回気流が形成されており、分級空間に投入された分級対象試料は、その粒径により、旋回気流により上方に運ばれるか、若しくは、重力により下方に運ばれるかして、粗粒回収ライン２３と粗粒回収ボックス２４で構成される粗粒選別部に回収されるか、若しくは、微粒選別部としての微粒回収ライン２５へと導かれて回収がなされる。
【００３６】
この図に示した例でも、試料投入部２２が気流生成部を兼ねており、第１の粒子分級装置１００につき説明したのと同様に、試料投入ライン２２の試料の供給部は、分級空間の内壁の周方向に旋回気流Ｃを生じるように設けられており、試料投入部２２からは分粒対象試料Ｉが気体を輸送媒体として供給され、この輸送媒体が分粒空間内での旋回気流を形成する。なお、上述したように、気流生成部は、独立したものとして設ける態様（例えば、分級空間の下部にファンを設ける態様）としてもよいが、旋回気流を分粒空間に供給する部位（供給部）は、粗粒選別部よりも上方であって、且つ、微粒選別部よりも下方に配置される。
【００３７】
第２の粒子分級装置２００の旋回気流の供給部からは、第１の粒子分級装置１００で粗粒として選別された粒子の長径ｄよりも小さな長径ｄ´（＜ｄ）を有する選別粒子に作用する浮力が該選別粒子に働く重力を超えない旋回気流が供給される。
【００３８】
例えば、第１の粒子分級装置１００で粗粒として選別された粒子の長径ｄが７ｍｍ以上である場合、第２の粒子分級装置２００に供給される選別粒子の長径は概ね７ｍｍ未満のものであり、この中から粗粒と微粒の選別を行うのであるが、第２の粒子分級装置２００により粗粒として選別される粒子の長径ｄ´は当然、第１の粒子分級装置１００により粗粒として選別された粒子の長径ｄよりも小さいから、第２の粒子分級装置２００における旋回気流の速度の垂直方向成分は、第１の粒子分級装置１００における旋回気流の速度の垂直方向成分に比較して、小さく設定される。
【００３９】
第２の粒子分級装置２００における旋回気流の速度の垂直方向成分を、第１の粒子分級装置１００における旋回気流の速度の垂直方向成分に比較して小さく設定するためには、例えば、分級容器２１の内部（分級空間）に分粒対象試料を供給する試料投入部（試料投入ライン）２２の近傍で、輸送媒体である気体の一部を系外に抜いてやる等の手法を例示することができる。なお、気体の一部を系外に抜く際には、バグフィルタを用いて、粒子が系外へと流出しないようにする必要がある。
【００４０】
より簡便な手法で第２の粒子分級装置２００における旋回気流の速度の垂直方向成分を低くするためには、分級空間の直径方向の断面積を、第１の粒子分級装置１００のそれに比較して大きくしてやればよい。第２の粒子分級装置２００で粗粒として回収する粒子の長径が恒常的なものである場合には、このようなシンプルな装置構成とすることにより目詰まり等のトラブルが抑制されるという利点がある。第２の粒子分級装置２００で粗粒として回収する粒子の長径が頻繁に変更されるような場合には、上述したような、輸送媒体である気体の一部を系外に抜く等の方法によることが好ましい。
【００４１】
第２の粒子分級装置２００においても、微粒選別部である微粒回収ライン２５は、分級容器２１の上部側壁に筒状に設けられており、この微粒回収ライン２５の突出方向を、分級容器２１の内壁に沿う旋回気流Ｃの向きと逆の方向とすると、粗粒と微粒の分級効率があがり、同条件で運転した場合の粗粒回収量を高めることができる。
【００４２】
また、試料投入部の直上部と微粒選別部の直下部との高低差Ｈを、円筒状の分級空間の直径Ｄの２．５倍以上とすることで、本来は粗粒選別部へと導かれるべき粗粒が、微粒選別部へと導かれる率をかなり下げることができる点についても、第１の粒子分級装置１００と同様である。
【００４３】
上述した第１の粒子分級装置１００や第２の粒子分級装置２００の微粒回収ライン（１５、２５）から排出される微粒を回収するには、これらの微粒が環境中に放出等されないように、また、他の用途に再使用できるように、回収されることが好ましい。
【００４４】
図３は、本発明の粒子分級装置の第３の構成例を説明するための概略図で、この装置は、第２の粒子分級装置２００の微粒回収ライン２５から排出される微粒を含有する気体（輸送媒体）を、水を満たした水槽に向かって排気して水中で微粒を捕捉する構成としたものである。
【００４５】
この図に示した構成では、第１の粒子分級装置１００の微粒選別部の下流に設けられた第２の粒子分級装置２００の微粒回収ライン２５の下流側に、微粒捕捉装置３００を設けている。この図中、符号３０は排風機、３１は水槽、３２は微粒排出口、３３は水槽内に満たされた水、３４は微粒混合物、３５は最終排気口、３６はドレインである。
【００４６】
第２の粒子分級装置２００の微粒回収ライン２５から排出された微粒を含有する気体（輸送媒体）は、排風機３０を介して水槽３１内に排気され、水３３の中で微粒が捕捉された後、輸送媒体である気体は最終排気口３５から環境に放出される一方、水３３により捕捉された微粒は水槽３１下部に微粒混合物３４として沈澱し、ドレイン３６より回収される。
【００４７】
このような、水槽に向かって排気する方法は、多結晶シリコン等の金属系粒子等、微粒子の比重がある程度大きい場合に特に有効である。なお、輸送媒体である気体は、多結晶シリコンの分級を行う場合には清浄空気を用いればよいが、分級する粒子によっては、窒素、アルゴン等を用いることもできる。
【００４８】
上述の方法以外にも、微粒回収ラインから排出される微粒を含有する気体を、スクラバ中に排気して水に捕捉させる方法や、最終段階でバグフィルタを用いて気体をろ過する方法等を採用してもよい。
【実施例】
【００４９】
［実施例１］
図３に示した構成の装置を用い、多結晶シリコンロッドを破砕して得られた多結晶シリコン塊の中から粒径（長径）が概ね２０ｍｍを超えるサイズのものを篩過して除いたもの（約１００ｋｇ）を分粒対象試料として装置に投入して分級を行った。なお、当該装置を構成する第１の粒子分級装置１００は、試料投入ラインの直径が３０ｍｍ、分級空間の内径Ｄ1が１１８ｍｍで試料投入部の直上部と微粒選別部の直下部との高低差Ｈ1が４１３ｍｍ、微粒回収ラインの直径が４０ｍｍである。また、第２の粒子分級装置２００は、試料投入ラインの直径が４０ｍｍ、分級空間の内径Ｄ2が１４７ｍｍで試料投入部の直上部と微粒選別部の直下部との高低差Ｈ2が５５２ｍｍ、微粒回収ラインの直径が５０ｍｍである。さらに、排風機３０による吸引量は５９０Ｌ／分である。
【００５０】
上述した粒径（長径が概ね２０ｍｍ以下）の分級対象試料１００ｋｇを、少量ずつ２０時間かけて装置に投入し、第１の粒子分級装置１００では長径ｄが概ね５ｍｍ以上の多結晶シリコン塊を粗粒として回収することを目的とし、第２の粒子分級装置２００では長径ｄ´が概ね１ｍｍ以上の多結晶シリコン塊を粗粒として回収することを目的として、分級作業を行った。
【００５１】
第２の粒子分級装置２００の微粒回収ライン２５から排出された微粒は排風機３０を介して水槽３１内に排気した。このとき、排風機３０の排気は、排気口を水槽３１の水面に向けて行われ、水面が大きく変動しない線速度である１４ｃｍ/秒（水面からの距離を約７０ｃｍ）に調整して微粒を水３３の中に捕捉した。
【００５２】
この捕捉作業が終了した後、４時間靜置した。水槽３１内では微粒の殆どが沈降しており、上澄みを廃棄して沈降物を微粒混合物３４として回収した。沈降後の上澄み液の浮遊物質を測定（１μｍ以上の粒径のものが対象）すると、定量下限以下（＜１ｍｇ/リットル）であった。この微粒捕捉装置３００で回収された微粒混合物３４を乾燥して重量を計測したところ１１．５ｋｇであり、埃等軽量の異物は上澄みの廃棄時に完全に除かれていた。
【００５３】
第１の粒子分級装置１００により粗粒として回収された粒子は、総量で７２．５ｋｇである。この中から２５０ｇのサンプルを採取し、篩過により粒子の径分布を確認したところ、長径が５〜２０ｍｍであるもののは９５質量％を占め、長径が２０ｍｍを超えるものが５質量％含有されているものの、長径が１ｍｍ以下の粒子は含まれていなかった。また、埃等軽量の異物は完全に除かれていた。
【００５４】
第２の粒子分級装置２００により粗粒として回収された粒子は、総量で１５．０ｋｇである。この中から２５０ｇのサンプルを採取し、篩過により粒子の径分布を確認したところ、長径が５ｍｍを超えるものは含有されておらず、長径が１ｍｍ以下の粒子の合計の質量は１０％であった。また、埃等軽量の異物は完全に除かれていた。
【００５５】
［実施例２〜６］
円筒状の分級空間の、試料投入部の直上部と微粒選別部の直下部との高低差Ｈと内径Ｄの比（Ｈ／Ｄ）を変化させた場合の回収効率を検討した。このＨ／Ｄを変化させるに際しては、第１の粒子分級装置１００および第２の粒子分級装置２００ともに内径Ｄは上述の実施例１と同じとし（Ｄ1＝１１８ｍｍ、Ｄ2＝１４７ｍｍ）、試料投入部の直上部と微粒選別部の直下部との高低差（Ｈ1およびＨ2）を変化させた。なお、何れの実施例においても、Ｈ／Ｄ値は等しくした（Ｈ1／Ｄ1＝Ｈ2／Ｄ2）。
【００５６】
図３に示した構成の装置を用い、多結晶シリコンロッドを破砕して得られた多結晶シリコン塊の中から粒径（長径）が概ね２０ｍｍを超えるサイズのものを篩過して除いたもの（約２０ｋｇ）を分粒対象試料として装置に投入し、実施例１と同様に、第１の粒子分級装置１００では長径ｄが概ね５ｍｍ以上の多結晶シリコン塊を粗粒として回収することを目的とし、第２の粒子分級装置２００では長径ｄ´が概ね１ｍｍ以上の多結晶シリコン塊を粗粒として回収することを目的として、分級作業を行った。なお、ここでは第２の分級装置で捕捉されなかった微粒子の回収は行っていない。第１および第２の粒子分級装置それぞれの粗粒回収率を表１に纏めた。
【００５７】
【表１】
0005885957.tif 000002
【００５８】
なお、表１中の「回収率」は、合計の回収量が最も多かった実施例６の合計回収量を１００として、その他の実施例２〜５の回収率を求めている。
【００５９】
何れの実施例においても、第１の粒子分級装置１００により粗粒として回収された粒子中の長径が１ｍｍ以下の粒子は１質量％以下であり、第２の粒子分級装置２００により粗粒として回収された粒子中の長径が１ｍｍ以下の粒子は１５質量％以下であった。従って、実施例１および２で回収量が下がっている原因は、回収すべき粒度を持つシリコン塊の一部が回収できていないためであると推定される。
【００６０】
［実施例７−８］
分級容器の上部側壁に筒状に設けられる微粒選別部の取り付けの向きが分級効果に及ぼす影響を確認した。実施例７では、第１の粒子分級装置１００において、図１に示したように微粒選別部の突出方向を分級容器の内壁に沿う旋回気流の向きと逆の方向とする一方、実施例８では、第１の粒子分級装置１００において、図４に示したように微粒選別部の突出方向を分級容器の内壁に沿う旋回気流の向きと同じ方向とした。その他の構成は、実施例１で説明した装置構成（図３）と同様である。
【００６１】
多結晶シリコンロッドを破砕して得られた多結晶シリコン塊の中から粒径（長径）が概ね２０ｍｍを超えるサイズのものを篩過して除いたもの（約２０ｋｇ）を分粒対象試料として装置に投入し、実施例１と同様に、第１の粒子分級装置１００では長径ｄが概ね５ｍｍ以上の多結晶シリコン塊を粗粒として回収することを目的とし、第２の粒子分級装置２００では長径ｄ´が概ね１ｍｍ以上の多結晶シリコン塊を粗粒として回収することを目的として、分級作業を行った。なお、分級作業はそれぞれ３回実施した。第１の粒子分級装置の粗粒回収率を表２に纏めた。
【００６２】
【表２】
0005885957.tif 000003
【００６３】
なお、表２中の「回収率」は、合計の回収量が多かった実施例７の１回目の回収量を１００として求めた。
【００６４】
何れの実施例においても長径が１ｍｍ以下である粒子は含まれていなかったが、微粒選別部の突出方向を分級容器の内壁に沿う旋回気流の向きと逆の方向とすると回収率は高くなり、分級の程度も高い。
【産業上の利用可能性】
【００６５】
本発明の粒子分級装置は、１ｍｍ以上で２０ｍｍ以下の所定の長径を有する中間粒径の粒子を効率的に分級することができる。サイクロン型分級装置は、回転方向外側に粗粒を集める一方、微粒を内側に集めて分級するという構造を有するのに対し、本発明の粒子分級装置では、分級容器の下部から粗粒を回収する一方、上部側壁から微粒を回収する構造となっている。本発明のように、分級容器の上下方向に粗粒と微粒を分離する構造とした場合には、装置の構造がシンプルとなり、分級粒子が目詰まりを起こすなどのトラブルが生じ難いことに加え、金属汚染や異物の混入が生じ難く、例えば、半導体製造用原料である高純度の多結晶シリコンチャンクの分級処理に好適である。
【符号の説明】
【００６６】
１００  第１の粒子分級装置
２００  第２の粒子分級装置
３００  微粒捕捉装置
１１、２１  分級容器
１２、２２  試料投入部（試料投入ライン）
１３、２３  粗粒回収ライン
１４、２４  粗粒回収ボックス
１５、２５  微粒回収ライン
３０  排風機
３１  水槽
３２  微粒排出口
３３  水槽内に満たされた水
３４  微粒混合物
３５  最終排気口
３６  ドレイン
【図１】
0005885957.tif 000004
【図２】
0005885957.tif 000005
【図３】
0005885957.tif 000006
【図４】
0005885957.tif 000007